(57)【要約】【課題】画像読取通信機器で読み取った画像を、より簡単な操作で相手先へ送信することができる画像送信システム等を提供する。【解決手段】画像読取装置１０が、画像を読み取ってネットワーク５０上のサーバ６０に保存する一方、サーバ６０からは保存した画像を取得するのに必要なアクセス情報を受信する。画像読取装置１０は、画像の読み取り完了後、近距離無線通信を用いて通信が確立した携帯端末３０に、サーバ６０から受信したアクセス情報を送信する。携帯端末３０は、画像読取装置１０より受信したアクセス情報を含む、サーバ６０に画像が保存されていることを知らせる電子メールを作成して、ユーザに送信先のアドレス情報が設定され、送信されると、該電子メールを送信先の情報端末７２に送信する。【選択図】図２
2015005922.tif 000002
【特許請求の範囲】
【請求項１】
画像を読み取るスキャナ部、ネットワークを介した通信を行う第１の通信装置および近距離無線通信を行う第２の通信装置を有する画像読取通信機器と、
ネットワークを介した通信を行う第１の通信装置、近距離無線通信を行う第２の通信装置、電子メールを作成して前記第１の通信装置を制御して送信する電子メール手段および前記電子メールの送信先となる情報端末のアドレス情報を管理するアドレス情報管理手段を有する携帯端末とを備え、
前記画像読取通信機器は、さらに、
前記スキャナ部を制御して画像を読み取り、前記第１の通信装置を制御して、読み取った画像をサーバへ送信して保存させ、該サーバにアクセスして保存されている前記画像を取得するのに必要なアクセス情報を前記サーバから受信する画像外部保存手段と、
前記スキャナ部による画像の読み取り完了後、前記第２の通信装置を制御して、ペアリングが確立した前記携帯端末に前記アクセス情報を送信するアクセス情報送信手段とを有し、
前記携帯端末は、さらに、
前記第２の通信装置を制御して、ペアリングが確立した前記画像読取通信機器より前記アクセス情報を受信するアクセス情報受信手段と、
前記電子メール手段を用いて、前記画像読取通信機器より受信した前記アクセス情報を添付した、前記サーバに画像が保存されていることを知らせる電子メールである連絡メールを作成する連絡メール作成手段と、
前記アドレス情報管理手段を用いて、前記連絡メールの送信先となるアドレス情報を設定するアドレス情報設定手段と、
前記第１の通信装置を制御して、前記連絡メールを設定された前記アドレス情報の情報端末に送信する連絡メール送信手段とを有することを特徴とする画像送信システム。
【請求項２】
前記画像読取通信機器は、画像の読み取り完了後に、前記携帯端末を当該画像読取通信機器における前記第２の通信装置による通信が可能な特定位置に近づけるようにユーザを促すメッセージ手段をさらに備えることを特徴とする請求項１に記載の画像送信システム。
【請求項３】
前記携帯端末は、アプリケーションプログラムを実行することで、アクセス情報受信手段、連絡メール作成手段、前記アドレス情報設定手段、および連絡メール送信手段を構築し、前記アプリケーションプログラムは、ペアリングが確立した前記画像読取通信機器からの要求で起動することを特徴とする請求項１又は２に記載の画像送信システム。
【請求項４】
画像を読み取るスキャナ部と、
ネットワークを介した通信を行う第１の通信装置と、
近距離無線通信を行う第２の通信装置と、
前記スキャナ部を制御して画像を読み取り、前記第１の通信装置を制御して、読み取った画像をサーバへ送信して保存させ、該サーバにアクセスして保存されている前記画像を取得するのに必要なアクセス情報を前記サーバから受信する画像外部保存手段と、
前記スキャナ部による画像の読み取り完了後、前記第２の通信装置を制御して、ペアリングが確立した携帯端末に前記アクセス情報を送信するアクセス情報送信手段とを有することを特徴とする画像読取通信機器。
【請求項５】
請求項４に記載の画像読取通信機器としてコンピュータを機能させるためのプログラムであって、コンピュータを上記各手段として機能させるためのプログラム。
【請求項６】
ネットワークを介した通信を行う第１の通信装置と、
近距離無線通信を行う第２の通信装置と、
電子メールを作成して前記第１の通信装置を制御して送信する電子メール手段と、
前記電子メールの送信先となる情報端末のアドレス情報を管理するアドレス情報管理手段と、
前記第２の通信装置を制御して、ペアリングが確立した画像読取通信機器より、サーバに保存されている画像を前記サーバにアクセスして取得するのに必要なアクセス情報を受信するアクセス情報受信手段と、
前記電子メール手段を用いて、前記アクセス情報を添付した、前記サーバに画像が保存されていることを知らせる電子メールである連絡メールを作成する連絡メール作成手段と、
前記アドレス情報管理手段を用いて、前記連絡メールの送信先となるアドレス情報を設定するアドレス情報設定手段と、
前記第１の通信装置を制御して、前記連絡メールを設定された前記アドレス情報の情報端末に送信する連絡メール送信手段とを有することを特徴とする携帯端末。
【請求項７】
請求項６に記載の携帯端末としてコンピュータを機能させるためのプログラムであって、コンピュータを上記各手段として機能させるためのプログラム。
【請求項８】
請求項５又は７に記載のプログラムを記録したコンピュータ読み取り可能な記録媒体。
【請求項９】
画像読取通信機器が、画像を読み取り、読み取った画像をネットワーク上のサーバに保存する一方、該サーバから該サーバにアクセスして保存されている前記画像を取得するのに必要なアクセス情報を受信し、任意の情報端末が、前記アクセス情報を用いて前記サーバにアクセスして保存された前記画像を取得するサーバを介した画像の送信方法であって、
前記画像読取通信機器は、画像の読み取り完了後、近距離無線通信を用いてペアリングが確立した前記携帯端末に前記アクセス情報を送信し、
前記携帯端末は、近距離無線通信を用いてペアリングが確立した前記画像読取通信機器から前記アクセス情報を受信し、前記サーバに画像が保存されていることを知らせる電子メールを作成して、任意に設定されたアドレス情報の情報端末に、受信したアクセス情報を添付して送信することを特徴とするサーバを介した画像の送信方法。
【発明の詳細な説明】
【技術分野】
【０００１】
本発明は、画像読取機能と通信機能とを有する画像読取通信機器にて読み取った画像を、任意の情報端末に送信する画像送信システムに関する。
【背景技術】
【０００２】
複合機や通信機能を有する画像読取装置などの画像読取通信機器（以下、読取通信機器と略記する）においては、スキャナ部で画像を読み取り、読み取った画像を、ネットワークに接続された通信部から任意の情報端末へ送信するモードがある。この場合、ユーザは、画像を送信する相手の宛先情報（例えば、Ｅメールアドレス）を、読取通信機器に備えられた操作パネル等を利用してその都度入力するか、読取通信機器の記憶部に登録されている中から選択する。
【０００３】
また、読取通信機器には、スキャナ部で読み取った画像をサーバに保存させるモードもあり、該モードを利用して、サーバを介して読み取った画像を受け渡しすることも行われている。この場合、ユーザは、相手先からサーバにアクセスし、サーバに保持されている画像を取得するために必要なアクセス情報を、電子メールや電話等を用いて相手先に連絡する。アクセス情報には、例えば、サーバのアドレス情報や、保存されている画像のファイル番号等が含まれている。
【０００４】
さらに、特許文献１には、相手先に応じて画像ファイルの提供方法を予め設定しておき、スキャンして得られた画像ファイルのサイズによって、電子メールに画像ファイルを添付して送信するか、電子メールに画像ファイルの格納先を示すリンクＵＲＬを添付して送信するかを切り替える画像形成装置が記載されている。この場合、ユーザは、画像を送信する相手の宛先情報と相手先に応じた提供方法とを、予め画像形成装置の記憶部に登録する。
【先行技術文献】
【特許文献】
【０００５】
【特許文献１】特開２０１１−１３５４２０号公報（２０１１年７月７日公開）
【発明の概要】
【発明が解決しようとする課題】
【０００６】
しかしながら、上述のような従来技術は何れも、読取通信機器で読み取った画像を相手先へ送信するにあたり、ユーザに煩わしい作業を強いるという問題がある。これについて詳細に説明する。
【０００７】
読取通信機器から読み取った画像を直接相手先に送信するには、読取通信機器において、宛先情報をその都度入力するか、予め登録しておくことが必要である。読取通信機器における宛先情報の入力は、読取通信機器に備えられている操作パネルの表示部にキーボード等が表示されたアドレス入力画面を操作して行うのが一般的である。しかしながら、この画面からの宛先情報の入力は、入力が容易に行えるように種々の工夫が凝らされている携帯電話やスマートフォンにおいて宛先情報を入力するのに比べて煩雑な作業であり、時間もかかる。そのため、送信の都度、読取通信機器の操作パネルから宛先情報を入力することは、ユーザに非常に煩わしい作業を強いることとなる。
【０００８】
なお、読取通信機器の記憶部に、宛先情報を予め登録しておいた場合は、送信時は登録されている中から選択するだけで宛先情報を入力することができるので、送信時の操作は簡単である。しかしながら、読取通信機器の操作パネルから宛先情報を入力する作業が必要である点は同じである。しかも、コンビニエンスストアなどに設置された共用の複合機（読取通信機器の一種）を用いて画像を読み取って送信したい場合、宛先情報を予め入力しておくことはできないので、その都度入力することが必須となる。
【０００９】
これに対し、サーバを介して読み取った画像を受け渡しする手法では、読取通信機器に宛先情報を入力する作業は必要ない。しかしながら、別途、電子メールや電話等でアクセス情報を相手先に知らせる必要があり、結局は手間取ることとなる。
【００１０】
本発明は、上記課題に鑑みてなされたものであり、その目的は、画像読取通信機器で読み取った画像を、より簡単な操作で相手先へ送信することができる画像送信システム等を提供することにある。
【課題を解決するための手段】
【００１１】
上記の課題を解決するために、本発明の一態様に係る画像送信システムは、画像を読み取るスキャナ部、ネットワークを介した通信を行う第１の通信装置および近距離無線通信を行う第２の通信装置を有する画像読取通信機器と、ネットワークを介した通信を行う第１の通信装置、近距離無線通信を行う第２の通信装置、電子メールを作成して前記第１の通信装置を制御して送信する電子メール手段および前記電子メールの送信先となる情報端末のアドレス情報を管理するアドレス情報管理手段を有する携帯端末とを備え、前記画像読取通信機器は、さらに、前記スキャナ部を制御して画像を読み取り、前記第１の通信装置を制御して、読み取った画像をサーバへ送信して保存させ、該サーバにアクセスして保存されている前記画像を取得するのに必要なアクセス情報を前記サーバから受信する画像外部保存手段と、前記スキャナ部による画像の読み取り完了後、前記第２の通信装置を制御して、ペアリングが確立した前記携帯端末に前記アクセス情報を送信するアクセス情報送信手段とを有し、前記携帯端末は、さらに、前記第２の通信装置を制御して、ペアリングが確立した前記画像読取通信機器より前記アクセス情報を受信するアクセス情報受信手段と、前記電子メール手段を用いて、前記画像読取通信機器より受信した前記アクセス情報を添付した、前記サーバに画像が保存されていることを知らせる電子メールである連絡メールを作成する連絡メール作成手段と、前記アドレス情報管理手段を用いて、前記連絡メールの送信先となるアドレス情報を設定するアドレス情報設定手段と、前記第１の通信装置を制御して、前記連絡メールを設定された前記アドレス情報の情報端末に送信する連絡メール送信手段とを有することを特徴としている。
【発明の効果】
【００１２】
本発明の一態様によれば、画像読取通信機器にて読み取った画像を、より簡単な操作で相手先へ送信することができる画像送信システム等を提供することができるという効果を奏する。
【図面の簡単な説明】
【００１３】
【図１】本発明の実施の一形態の画像送信システムの構成を示す説明図である。
【図２】図１の画像送信システムを用いて画像が送信されるイメージを示す説明図である。
【図３】図１の画像送信システムにおける画像読取装置のハードウエア構成の一例を示すブロック図である。
【図４】図１の画像送信システムにおける携帯端末のハードウエア構成の一例を示すブロック図である。
【図５】図１の画像送信システムにおける画像読取装置と、ネットワークを介して接続される画像外部保存用のサーバのハードウエア構成の一例を示すブロック図である。
【図６】図１の画像送信システムにおける画像読取装置の動作を示すフローチャートである。
【図７】図１の画像送信システムにおける携帯端末の動作を示すフローチャートである。
【図８Ａ】図１の画像送信システムにおけるサーバの動作を示すフローチャートである。
【図８Ｂ】図８Ａのフローチャートにおける画像データの保存予約登録処理の動作を示すサブルーチンのフローチャートである。
【図８Ｃ】図８Ａのフローチャートにおける画像データの受信・保存処理の動作を示すサブルーチンのフローチャートである。
【図８Ｄ】図８Ａのフローチャートにおける画像データの送信処理の動作を示すサブルーチンのフローチャートである。
【発明を実施するための形態】
【００１４】
以下、本発明の実施の一形態について、詳細に説明する。図１は、本実施の形態の画像送信システムの構成を示す説明図である。図２は、本実施の形態の画像送信システムを用いて画像が送信されるイメージを示す説明図である。
【００１５】
図２に示すように、本実施の形態の画像送信システム１においては、送信者Ａが、画像読取装置１０を用いて、画像の外部保存モードを選択して、画像読取装置１０に画像Ｃを読み取らせる。画像読取装置１０は、読み取った画像Ｃ（正確には「画像Ｃの画像データ」と表現すべきであるが、便宜上、単に画像と称する場合もある）をサーバ６０に保存し、サーバ６０からは、保存された画像Ｃを取得するためのアクセス情報を取得する。
【００１６】
画像Ｃの読み取り完了後に、送信者Ａが、画像読取装置１０におけるＮＦＣ等の近距離無線通信が可能な特定位置に携帯端末３０を近づけると、画像読取装置１０と携帯端末３０とはペアリングを開始する。ペアリングが確立すると（通信が確立すると）、画像読取装置１０は携帯端末３０にアクセス情報を送信する。
【００１７】
送信者Ａは、携帯端末３０に送信されたアクセス情報を、携帯端末３０を操作して、画像Ｃを送信したい相手先である受信者Ｂが所有する情報端末７２のアドレス情報を、電子メールの送信先として設定する。携帯端末３０は、送信者Ａにて電子メールの送信指示がなされると、画像読取装置１０より受信したアクセス情報を含む、画像Ｃがサーバ６０に保存されていることを知らせる電子メールである連絡メールを作成して送信する。
【００１８】
連絡メールはメールサーバ７１を介して受信者Ｂの情報端末７２に送信され、受信者Ｂは、連絡メールに含まれているアクセス情報を用いて、情報端末７２からサーバ６０にアクセスして画像Ｃを取得する。
【００１９】
このような画像送信が可能な画像送信システム１は、図１に示すように、近距離無線通信にてＰ２Ｐで通信可能な、画像読取通信機器である画像読取装置１０と携帯端末３０とを備えている。画像読取装置１０は、インターネット等やＬＡＮを含むネットワーク５０を介して、画像外部保存用のサーバ６０と接続されている。携帯端末３０は、ネットワーク５０を介してメールサーバ７１と接続されている。
【００２０】
（画像読取装置１０の構成）
画像読取装置１０は、図１に示すように、スキャナ部１１、ネットワーク通信部１２、ＮＦＣインターフェース部（以下、ＮＦＣ Ｉ／Ｆ部）１３および制御部１４を少なくとも備えている。
【００２１】
スキャナ部１１は、例えばＣＣＤセンサ等から構成され、画像を読み取って画像データとする。ネットワーク通信部１２は、ネットワークを介した通信を行う第１の通信装置である。ネットワーク通信部１２は、ネットワーク５０を介して画像外部保存用のサーバ６０と通信を行う。
【００２２】
ＮＦＣ Ｉ／Ｆ部１３は、近距離無線通信を行う第２の通信装置である。ＮＦＣ Ｉ／Ｆ部１３は、ＮＦＣ（Ｎｅａｒ  Ｆｉｅｌｄ  Ｃｏｍｍｕｎｉｃａｔｉｏｎ）対応の携帯端末３０とＰ２Ｐで通信を行う。ここでは、近距離無線通信として、ＮＦＣを例示するが、方向性の強い赤外線通信なども用いることもできる。
【００２３】
制御部１４は、ＣＰＵからなり、画像読取装置１０の各部を制御する。例えば、制御部１４は、スキャナ部１１が読み取った画像データに対して必要が画像処理を施す。また、制御部１４は、ＮＦＣ Ｉ／Ｆ部１３による通信が可能な特定位置に、ＮＦＣ機能を有する携帯端末３０が近づくと、ＮＦＣ Ｉ／Ｆ部１３を制御して、携帯端末３０とのペアリングを行う。
【００２４】
そして、本実施の形態の特徴的な構成として、制御部１４には、ＣＰＵが画像送信用のプログラムを実行することで、画像外部保存処理部１５、アクセス情報送信処理部１６およびメッセージ処理部１７が構築される。
【００２５】
画像外部保存処理部１５は、スキャナ部１１を制御して画像を読み取り、読み取った画像（画像データ）を、ネットワーク通信部１２を制御してネットワーク５０を介して画像外部保存用のサーバ６０へ送信して保存させる。また、画像外部保存処理部１５は、サーバ６０より、当該サーバ６０にアクセスして保存されている画像を取得するのに必要なアクセス情報を受信する。アクセス情報には、サーバ６０のアドレス情報および保存されている画像のファイル番号等が含まれている。
【００２６】
さらに、詳細についてはフローチャートを用いて後述するが、画像外部保存処理部１５は、画像を読み取った後、直ぐにはサーバ６０に送信せず、サーバ６０には画像データ保存の予約登録を行う。そして、サーバ６０との間で予約登録が成功し、かつ、携帯端末３０との間で通信が確立し、アクセス情報を携帯端末３０へと送信できる状態となった場合に、サーバ６０に画像を送信する。
【００２７】
アクセス情報送信処理部１６は、スキャナ部１１による画像の読み取り完了後、ＮＦＣ Ｉ／Ｆ部１３を制御して、ペアリングが確立した携帯端末３０に、サーバ６０より受信したアクセス情報を送信する。
【００２８】
メッセージ処理部１７は、スキャナ部１１による画像の読み取り完了後、携帯端末３０を、ＮＦＣ Ｉ／Ｆ部１３による通信が可能な当該画像読取装置１０の特定位置に近づけるようにユーザを促す。具体的には、表示部１８（図３参照）に、ユーザ宛のメッセージを表示する。
【００２９】
図３に、このような画像読取装置１０のハードウエア構成の一例を示す。画像読取装置１０は、スキャナ部１１、ネットワーク通信部１２、ＮＦＣ Ｉ／Ｆ部１３、表示部１８、操作部１９、画像処理ＡＳＩＣ２０、処理部２１、主記憶装置２２および補助記憶装置２３を備える。
【００３０】
表示部１８は、ＬＣＤや有機ＥＬディスプレイなどの表示装置であり、ユーザに各種情報を表示する。操作部１９は、タッチパネル、パネルキーなどの入力装置であり、ユーザが画像読取装置１０を操作するのに使用する。画像処理ＡＳＩＣ２０は、圧縮データの伸張、画像処理など負荷の大きい処理を実行する。
【００３１】
処理部２１は、図１に示す制御部１４のＣＰＵに相当し、画像読取装置１０の各部の動作を制御する。主記憶装置２２は、例えばＤＲＡＭメモリであり、プログラム（ファームウェア）、画像データなどが実行時にここへロードされる。補助記憶装置２３は、フラッシュＲＯＭ、ＨＤＤ、ＳＤカードなどであり、プログラム、画像データなどが格納される。
【００３２】
本実施の形態では、画像読取通信機器として画像読取装置１０を例示したが、処理部２１および画像処理ＡＳＩＣ２０により主記憶装置２２上に展開された画像データを用紙に印字するプリンタ部を備える構成としてもよい。また、画像読取通信機器としては、プリンタ部とともにファックス送信機能等も備えた複合機であってもよい。
【００３３】
（携帯端末３０の構成）
本実施の形態の画像送信システム１を構成する携帯端末３０は、例えばスマートフォンや、携帯電話、タブレット等であり、図１に示すように、ネットワーク通信部３１、ＮＦＣインターフェース部（以下、ＮＦＣ Ｉ／Ｆ部）３２および制御部３３を少なくとも備えている。
【００３４】
ネットワーク通信部３１は、ネットワーク５０を介した通信を行う第１の通信装置である。ネットワーク通信部３１は、ネットワーク５０を介してメールサーバ７１と通信を行って電子メールを送信する。ＮＦＣ Ｉ／Ｆ部３２は、近距離無線通信を行う第２の通信装置である。ＮＦＣ Ｉ／Ｆ部３２は、外部のＮＦＣ対応の画像読取装置１０とＰ２Ｐで通信を行う。
【００３５】
制御部３３は、ＣＰＵからなり、携帯端末３０の各部を制御する。制御部３３は、当該
携帯端末３０が、ＮＦＣ機能を有する画像読取装置１０のＮＦＣ Ｉ／Ｆ部１３による通信が可能な特定位置に近づくと、ＮＦＣ Ｉ／Ｆ部３２を制御して、画像読取装置１０とのペアリングを行う。
【００３６】
そして、本実施の形態の特徴的な構成として、制御部３３には、ＣＰＵが、それぞれのアプリケーションプログラム（アプリケーション）を起動することで、電子メール処理部３４、アドレス情報管理処理部３５、アクセス情報受信処理部４４、連絡メール作成処理部３７、アドレス情報設定処理部３８および連絡メール送信処理部３９が構築される。
【００３７】
このうち、電子メール処理部３４およびアドレス情報管理処理部３５は既存の機能である。電子メール処理部３４は、電子メールを作成してネットワーク通信部３１を制御して送信する。電子メール処理部３４は、電子メールのアプリケーションプログラムを起動することで構築される。
【００３８】
アドレス情報管理処理部３５は、電子メールの送信先となる情報端末のアドレス情報を管理する。アドレス情報管理処理部３５は、アドレス情報を格納したアドレス帳を管理すると共に、ユーザによるアドレス情報の入力を受け付けるアドレス入力受付機能、およびアドレスの入力を助ける支援機能等を備えている。アドレス情報管理処理部３５は、アドレス情報管理のアプリケーションプログラムを実行することで構築される。
【００３９】
周知のとおり、電子メール処理部３４とアドレス情報管理処理部３５とはリンクしており、電子メール処理部３４にて作成した電子メールの送信作となる宛先情報の入力は、アドレス情報管理処理部３５が管理しているアドレス情報より選択することができる。
【００４０】
アクセス情報受信処理部３６、連絡メール作成処理部３７、アドレス情報設定処理部３８および連絡メール送信処理部３９は、画像送信の専用アプリケーションプログラムを起動することで構築される。前記専用アプリケーションは、ユーザが、携帯端末３０に表示されている所定のアイコンをタッチ操作するか、あるいは、画像読取装置１０とのＮＦＣによるＰ２Ｐの通信が確立すると起動する。
【００４１】
アクセス情報受信処理部４４は、ＮＦＣ Ｉ／Ｆ部３２を制御して、ペアリングが確立した画像読取装置１０よりアクセス情報を受信する。連絡メール作成処理部３７は、電子メール処理部３４を用いて、画像読取装置１０より受信したアクセス情報を含む、前記サーバ６０に画像が保存されていることを知らせる電子メールである連絡メールを作成する。
【００４２】
アドレス情報設定処理部３８は、アドレス情報管理処理部３５を用いて、連絡メール作成処理部３７にて作成された連絡メールの送信先となるアドレス情報を設定する。連絡メール送信処理部３９は、ネットワーク通信部３１を制御して、連絡メール作成処理部３７にて作成された連絡メールを設定されたアドレス情報の情報端末に送信する。
【００４３】
図４に、このような携帯端末３０のハードウエア構成の一例を示す。携帯端末３０は、ネットワーク通信部３１、ＮＦＣ Ｉ／Ｆ部３２、表示部４０、操作部４１、処理部４４、主記憶装置４２および補助記憶装置４３を備える。
【００４４】
表示部４０は、ＬＣＤや有機ＥＬディスプレイなどの表示装置であり、ユーザに各種情報を表示する。操作部４１は、タッチパネル、パネルキーなどの入力装置であり、ユーザが携帯端末３０の操作に使用する。携帯端末３０がスマートフォンである場合、表示部４０と操作部４１は、一体化された表示入力部となる。
【００４５】
処理部４４は、図１に示す制御部３３のＣＰＵであり、携帯端末３０の各部の動作を制御する。主記憶装置４２は、例えばＤＲＡＭメモリであり、プログラム（ファームウェア）、画像データなどが実行時にここへロードされる。補助記憶装置４３は、フラッシュＲＯＭ、ＨＤＤ、ＳＤカードなどである。各種のアプリケーションプログラム、画像データなどが格納される。
【００４６】
（サーバ６０の構成）
図５に、画像外部保存用の前記サーバ６０のハードウエア構成の一例を示す。サーバ６０は、情報処理装置であり、表示部６１、操作部６２、処理部６３、主記憶装置６４、補助記憶装置６５およびネットワーク通信部６６を備える。
【００４７】
表示部６１は、ＬＣＤや有機ＥＬディスプレイなどの表示装置であり、ユーザに各種情報を表示する。操作部６２は、キーボード、マウス、タッチパネルなどの入力装置であり、ユーザがサーバ６０の操作に使用する。なお、表示部６１と操作部１９とは、情報処理装置に一般的に備わっているものであるので具備するものの、サーバとしての機能には必要ない。
【００４８】
主記憶装置６４は、例えばＤＲＡＭメモリであり、プログラム（ファームウェア）、画像データなどが実行時にここへロードされる。補助記憶装置６５は、ＨＤＤ、磁気テープなどであり、サーバプログラム、画像読取装置１０より送信されてきた画像データ、各種管理情報などが格納される。
【００４９】
ネットワーク通信部６６は、ネットワーク５０を介した通信を行う第１の通信装置である。ネットワーク通信部６６は、ネットワーク５０を介してサーバ６０や、任意の情報端末と通信を行う。
【００５０】
処理部６３は、ＣＰＵであり、サーバ６０の各部の動作を制御する。詳細についてはフローチャートを用いて後述するが、処理部６３は、ネットワーク通信部６６を介して画像読取装置１０より画像の保存予約の問い合わせがあると、補助記憶装置６５の空き容量を基にして、問い合わせの合った画像を保存可能かどうか判断する。保存可能である場合は、アクセス情報を生成して画像の保存を依頼してきた画像読取装置１０に、ネットワーク通信部６６を介して送信する。
【００５１】
そして、処理部６３は、ネットワーク通信部６６を介して画像読取装置１０より、保存予約の問い合わせのあった前記画像を受信（アクセス情報に関連付けられた状態）すると、アクセス情報に応じて補助記憶装置６５に保存して管理する。
【００５２】
また、処理部６３は、ネットワーク通信部６６を介して、任意の情報端末より、アクセス情報に基づいて保存した画像の取得要求を受信すると、アクセス情報に応じた画像を、補助記憶装置６５より読み出し、取得要求を行った情報端末へと送信する。
【００５３】
以下、図６、図７、図８Ａ〜図８Ｄのフローチャートを用いて、画像読取装置１０、携帯端末３０およびサーバ６０それぞれの動作を説明する。図６は、画像読取装置の動作を示すフローチャートである。図７は、携帯端末の動作を示すフローチャートである。図８Ａは、サーバの動作を示すフローチャートである。図８Ｂは、図８Ａにおける画像データの保存予約登録処理の動作を示すサブルーチンのフローチャートである。図８Ｃは、図８Ａにおける画像データの受信・保存処理の動作を示すサブルーチンのフローチャートである。図８Ｄは、図８Ａにおける画像データの送信処理の動作を示すサブルーチンのフローチャートである。
【００５４】
（画像読取装置１０の動作の説明）
まずは、画像読取装置１０の動作を説明する。図６に示すように、画像読取装置１０において、図１の送信者Ａに相当するユーザが画像の外部保存モードを選択し、読み取りを指示すると、制御部１４（処理部１２）は、スキャナ部１１を制御して画像を読み取らせる（Ｓ１）。制御部１４は、読み取られた画像に対して画像処理を実施して画像データを生成し、補助記憶装置２３に保存する（Ｓ２）。次に、制御部１４は、画像外部保存用のサーバ６０に画像データ保存の予約登録を要求する（Ｓ３）。このとき、制御部１４は、画像データ保存を予約登録する画像データのサイズ等の情報も送る。
【００５５】
次に、制御部１４は、サーバ６０において、予約登録が成功したか否かを判断する（Ｓ４）。具体的には、制御部１４は、サーバ６０よりアクセス情報が送信されてくると、予約登録に成功したと判断する。一方、サーバ６０よりアクセス情報ではなく、予約登録に失敗した旨が通知された場合は、制御部１４は、Ｓ４において、予約登録に成功しなかったと判断して、エラーメッセージを表示部１８に表示して（Ｓ１４）、処理を終了する。
【００５６】
Ｓ４において、予約登録に成功したと判断した場合は、制御部１４は、サーバ６０から送信されたアクセス情報を受信する（Ｓ５）。次に、制御部１４は、表示部１８に、携帯端末３０をＮＦＣによる通信が可能な所定の位置（特定位置）に近づけるように促すメッセージを表示し（Ｓ６）、ＮＦＣ通信相手となる携帯端末３０を待つ（Ｓ７）。この状態で、携帯端末３０が所定の位置に近づけられると、制御部１４は携帯端末３０との間でペアリングを行い、通信が確立したか否かを判断する（Ｓ８）。制御部１４は、ペアリングが確立すると、通信が確立したと判断する。
【００５７】
Ｓ８において、通信が確立したと判断すると、制御部１４は、携帯端末３０に対し、専用アプリケーションの起動を要求し、専用アプリケーションを起動させる（Ｓ９）。一方、Ｓ８において、通信が確立しなかったと判断した場合は、制御部１４は、続けて、一定時間が経過したか否かを判断する（Ｓ１３）。そして、一定時間が経過していない場合は、Ｓ７に処理を戻し、一定時間が経過している場合は、エラーメッセージを表示部１８に表示して（Ｓ１４）、処理を終了する。
【００５８】
Ｓ８において、通信が確立したと判断し、Ｓ９において、携帯端末３０に対して起動を要求した場合は、続いて、その起動が成されたか否かを判断する（Ｓ１０）。ここで、起動が成されたと判断すると、携帯端末３０へサーバ６０より受信したアドレス情報を送信し（Ｓ１１）、サーバ６０へは保存要求を行い、画像データを送信する（Ｓ１２）。詳細には、先に受信したアクセス情報、あるいはアクセス情報に含まれる、予約登録を要求して保存を予約した画像データとの関連付けが可能な情報（画像データのＩＤなど）を先に送信し、サーバ６０にて、予約した画像データであるとの確認がされた後、画像データを送信する（Ｓ１２）。一方、Ｓ１０において、起動が成されなかったと判断すると、制御部１４は、エラーメッセージを表示部１８に表示して（Ｓ１４）、処理を終了する。
【００５９】
（携帯端末３０の動作）
次に、携帯端末３０の動作を説明する。図７に示すように、携帯端末３０において、制御部３３は、ＮＦＣ通信相手となる画像読取装置１０を検出すると、画像読取装置１０との間でペアリングを行い、通信を確立する（Ｓ２１）。
【００６０】
次に、制御部３３は、画像読取装置１０からの要求に従い、専用アプリケーションを起動する（Ｓ２２）。制御部３３は、当該アプリケーションの起動が成功したか否かを判断し（Ｓ２３）、成功したと判断すると、専用アプリケーションの起動成功を画像読取装置１０に通知する（Ｓ２４）。一方、起動が成功しなかったと判断すると、制御部３３は、専用アプリケーションの起動失敗を画像読取装置１０に通知し（Ｓ３０）、エラーメッセージを表示部４０に表示して（Ｓ３１）、処理を終了する。
【００６１】
Ｓ２４において、専用アプリケーションの起動成功を画像読取装置１０に通知した場合は、次に、制御部３３は、画像読取装置１０からサーバ６０に保存されている画像データを取得するためのアクセス情報を取得する（Ｓ２５）。次に、制御部３３は、アクセス情報を含む電子メール（連絡メール）を作成する（Ｓ２６）。次に、電子メールの送信先を入力する画面を表示し、ユーザに、電子メールの送付する相手先となる宛先情報を入力させる（Ｓ２７）。その後、ユーザに電子メールの本文を編集させる画面を開いて、編集を受け付ける（Ｓ２８）。その後、ユーザから電子メールの送信が指示されると、制御部３３は、アクセス情報を含む電子メール（連絡メール）を、Ｓ２７で指定された宛先情報に送信する（Ｓ２９）。なお、ユーザに電子メールの本文を編集させる画面を開くステップは、必要に応じてユーザの指示によって開くようにすることも、あるいは、省略することもできる。
【００６２】
（サーバ６０の動作）
次に、サーバ６０の動作を説明する。図８Ａに示すように、サーバ６０において、処理部６３は、クライアント端末から要求を受信すると（Ｓ４１）、画像データ保存の予約登録の要求であるか、画像データの保存の要求であるか、画像データの取得の要求であるかを判断する（Ｓ４２）。
【００６３】
画像データ保存の予約登録の要求である場合は、Ｓ４３に処理を進め、画像データの保存の要求である場合は、Ｓ４４に処理を進め、画像データの送信の要求である場合は、Ｓ４５に処理を進める。
【００６４】
Ｓ４３においては、図８Ｂに示す画像データ保存の予約登録処理を行う。図８Ｂに示すように、処理部６３は、補助記憶装置６５の空き容量を参照して、保存が可能な画像データサイズの上限を算出する（Ｓ４３-１）。次に、処理部６３は、算出結果に基づいて、画像読取装置１０から予約登録の要求のなされた画像データの保存の可否を判定する（Ｓ４３−２）。Ｓ４３−３では、Ｓ４３−２の判定結果に基づいて保存可能か否かを判断し、可能と判断すると、アクセス情報を生成する（Ｓ４３−４）。一方、保存が不可能であると判断すると、予約登録の要求元である画像読取装置１０に、保存できないことを知らせる失敗の応答を送信する（Ｓ４３−８）。
【００６５】
Ｓ４３−４において、アクセス情報を生成した場合は、続いて、補助記憶装置６５に作られた予約登録リストに、保存すべき画像データに関する情報と作成したアクセス情報とのセットを追加する（Ｓ４３−５）。さらに、保存が予約された画像データのサイズの総計を、空き容量から減算する（Ｓ４３−６）。
【００６６】
その後、処理部６３は、要求元の画像読取装置１０に、画像データを保存できることを知らせる成功の応答とアクセス情報とを送信する（Ｓ４３−７）。
【００６７】
Ｓ４４においては、図８Ｃに示す画像データの受信・保存処理を行う。図８Ｃに示すように、処理部６３は、画像読取装置１０より受信したアクセス情報、あるいはアクセス情報に含まれる、予約登録を要求して保存を予約した画像データとの関連付けが可能な情報を基に、予約登録リストを検索する（Ｓ４４−１）。
【００６８】
次に、照合に成功したか否かを判断する（Ｓ４４−２）。予約登録リストにアクセス情報がある場合は、照合に成功したと判断し、無い場合は失敗したと判断する。照合に成功したと判断すると、画像データの保存の要求元である画像読取装置１０に画像データの送信を要求し、送信されてくる画像データを受信する（Ｓ４４−３）。一方、照合に失敗したと判断すると、要求元である画像読取装置１０に、保存できないことを知らせる失敗の応答を送信する（Ｓ４４−８）。
【００６９】
Ｓ４４−３において、画像読取装置１０より画像データを受信した場合は、受信した画像データを補助記憶装置６５にファイル保存する（Ｓ４４−４）。
【００７０】
続いて、予約登録リストから保存が完了した分を削除し（Ｓ４４−５）、補助記憶装置６５に作られた保存管理リストに、画像データを保存した保存ファイルに関する情報と作成したアクセス情報とのセットを追加する（Ｓ４４−６）。
【００７１】
Ｓ４５においては、図８Ｄに示す画像データの送信処理を行う。図８Ｄに示すように、処理部６３は、画像の送信先となる受信者Ｂの情報端末７２より受信したアクセス情報にを基に、保存管理リストを検索する（Ｓ４５−１）。次に、照合に成功したか否かを判断する（Ｓ４５−２）。保存管理リストにアクセス情報がある場合は、照合に成功したと判断し、無い場合は失敗したと判断する。照合に成功したと判断すると、保存ファイルに関する情報（パス、ファイル名称）を基に画像データを読み出し（Ｓ４５−３）、読み出した画像データを、要求元である受信者Ｂの情報端末７２に送信する（Ｓ４５−４）。一方、Ｓ４３−２において、照合に失敗したと判断すると、要求元である受信者Ｂの情報端末７２に、保存されていないことを知らせる失敗の応答を送信する（Ｓ４５−５）。
【００７２】
なお、本実施の形態では、サーバ６０における空き容量を、例えば補助記憶装置のうち特定の領域（容量）を本サーバプログラムに専用で割り当てておき、サーバプログラム内で“論理的な”空き容量として管理しているが、別の手法として、サーバの空き容量を、ファイルシステム（OSレベル）で管理すると共に、サーバープログラム（アプリケーションレベル）で保存予約されている画像データサイズの総計を管理し、２つを合わせて保存可能な画像の最大サイズを算出してもよい。
【００７３】
以上のように、本実施の形態の画像送信システム１においては、画像読取装置１０にて読み取った画像を、相手先に取得させるための作業が、画像読取装置１０に宛先情報を入力することも、外部保存した画像データのアクセス情報を、電子メールや電話にて相手先に連絡したりすることもなく、携帯端末３０の既存の機能であるアドレス情報管理処理部３５にて管理されている宛先情報から選択するなどの簡単な作業のみとなる。また、たとえ、携帯端末３０のアドレス情報管理処理部３５にて管理されていない場合でも、入力が容易に行えるように種々の工夫が凝らされており、しかも、操作になれた自身の携帯端末３０を用いて宛先情報を設定できるので、画像読取装置１０において宛先情報を設定するのに比べて、各段に容易に実施できる。
【００７４】
また、その他の実施の形態として、ＮＦＣを使用したユーザ認証を行う方式としてもよい。つまり、ユーザは、予め、画像送信システム１の利用登録を行っておき、サーバ６０が、画像送信システムを利用できるユーザ情報を管理する。画像を読み取って送信させるジョブの実行時、ユーザは、自身の携帯端末３０からＮＦＣを使用して画像読取装置１０へ認証情報を送信し、画像読取装置１０からサーバ６０へ情報を転送し、サーバ６０で認証を行い、利用登録がなされたユーザにのみ、サーバ６０は、画像データ保存可否の判定を行う。
【００７５】
画像読取装置１０の制御部１４、携帯端末３０の制御部３３は、ＣＰＵ（Central Processing Unit）を用いてソフトウェアによって実現する例を記載したが、集積回路（ＩＣチップ）等に形成された論理回路（ハードウェア）によって実現してもよい。
【００７６】
前者の場合、画像読取装置１０の制御部１４、携帯端末３０の制御部３３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔まとめ〕
本発明の態様１に係る画像送信システムは、画像を読み取るスキャナ部１１、ネットワークを介した通信を行う第１の通信装置（ネットワーク通信部１２）および近距離無線通信を行う第２の通信装置（ＮＦＣ Ｉ／Ｆ部１３）を有する画像読取通信機器（画像読取装置）と、ネットワークを介した通信を行う第１の通信装置（ネットワーク通信装置３１）、近距離無線通信を行う第２の通信装置（ＮＦＣ Ｉ／Ｆ部３２）、電子メールを作成して前記第１の通信装置を制御して送信する電子メール手段（電子メール処理部３４）および前記電子メールの送信先となる情報端末のアドレス情報を管理するアドレス情報管理手段（アドレス情報管理処理部３５）を有する携帯端末とを備え、前記画像読取通信機器は、さらに、前記スキャナ部を制御して画像を読み取り、前記第１の通信装置を制御して、読み取った画像をサーバへ送信して保存させ、該サーバにアクセスして保存されている前記画像を取得するのに必要なアクセス情報を前記サーバから受信する画像外部保存手段（画像外部保存処理部１５）と、前記スキャナ部による画像の読み取り完了後、前記第２の通信装置を制御して、ペアリングが確立した前記携帯端末に前記アクセス情報を送信するアクセス情報送信手段（アクセス情報送信処理部１６）とを有し、前記携帯端末は、さらに、前記第２の通信装置を制御して、ペアリングが確立した前記画像読取通信機器より前記アクセス情報を受信するアクセス情報受信手段（アクセス情報受信処理部３６）と、前記電子メール手段を用いて、前記画像読取通信機器より受信した前記アクセス情報を含み、前記サーバに画像が保存されていることを知らせる電子メールである連絡メールを作成する連絡メール作成手段（連絡メール作成処理部３７）と、前記アドレス情報管理手段を用いて、前記連絡メールの送信先となるアドレス情報を設定するアドレス情報設定手段（アドレス情報設定処理部３８）と、前記第１の通信装置を制御して、前記連絡メールを設定された前記アドレス情報の情報端末に送信する連絡メール送信手段（連絡メール送信処理部３９）とを有している。
【００７８】
上記の構成によれば、画像読取通信機器における外部画像保存手段が、画像を読み取って、外部のサーバに保存し、サーバからは、サーバにアクセスしてサーバより画像を取得するのに必要なアクセス情報を受信する。受信されたアクセス情報は、画像読取通信機器のアクセス情報送信処理部と、携帯端末のアクセス情報受信処理部とが、第２の通信装置を用いて近距離無線通信を行うことで、携帯端末に取り込まれる。
【００７９】
携帯端末においては、連絡メール作成手段（連絡メール送信処理部３９）が、電子メール手段を用いて、画像読取通信機器より受信したアクセス情報を含み、サーバに画像が保存されていることを知らせる電子メールである連絡メールを作成し、アドレス情報設定手段が、既存のアドレス情報管理手段を用いて、連絡メールの送信先となるアドレス情報を設定し、連絡メール送信手段が、第１の通信装置を制御して、設定されたアドレス情報の情報端末に送信する。
【００８０】
これにより、画像読取通信機器に宛先情報を入力することも、外部保存した画像データのアクセス情報を、電子メールや電話にて相手先に連絡したりすることもなく、携帯端末の既存の機能であるアドレス情報管理処理部にて管理されている宛先情報から選択するなどの簡単な作業のみとなる。また、たとえ、携帯端末のアドレス情報管理手段（アドレス情報管理処理部３５）にて管理されていない場合でも、入力が容易に行えるように種々の工夫が凝らされており、しかも、操作になれた携帯端末を用いて宛先情報を設定できるので、画像読取通信機器（画像読取装置１０）において宛先情報を設定するのに比べて、各段に容易に実施できる。
【００８１】
前記画像読取通信機器（画像読取装置１０）は、画像の読み取り完了後に、前記携帯端末を当該画像読取通信機器における前記第２の通信装置（ＮＦＣ Ｉ／Ｆ部１３）による通信が可能な特定位置に近づけるようにユーザを促すメッセージ手段をさらに備える構成としてもよい。
【００８２】
これによれば、本願発明の画像送信システムに慣れていないユーザでも、使いやすくなる。
【００８３】
前記画像読取通信機器（画像読取装置１０）は、さらに、前記携帯端末は、アプリケーションプログラムを実行することで、アクセス情報受信手段（アクセス情報受信処理部３６）、連絡メール作成手段（連絡メール作成処理部３９）、前記アドレス情報設定手段（アドレス情報設定処理部３８）、および連絡メール送信手段（連絡メール送信処理部３９
）を構築し、前記アプリケーションプログラムは、ペアリングが確立した前記画像読取通信機器からの要求で起動する構成としてもよい。
【００８４】
これによれば、画像送信システムにおける携帯端末側の機能が、アプリケーションプログラムで構成されており、画像読取通信機器からの要求で起動するので、操作性がさらによくなる。
【００８５】
本発明の態様２に係る画像読取通信機器（画像読取装置１０）は、画像を読み取るスキャナ部１１と、ネットワークを介した通信を行う第１の通信装置（ネットワーク通信部１２）と、近距離無線通信を行う第２の通信装置（ＮＦＣ Ｉ／Ｆ部１３）と、前記スキャナ部を制御して画像を読み取り、前記第１の通信装置を制御して、読み取った画像をサーバへ送信して保存させ、該サーバにアクセスして保存されている前記画像を取得するのに必要なアクセス情報を前記サーバから受信する画像外部保存手段（画像外部保存処理部１５）と、前記スキャナ部による画像の読み取り完了後、前記第２の通信装置を制御して、ペアリングが確立した携帯端末に前記アクセス情報を送信するアクセス情報送信手段（アクセス情報送信処理部１６）とを有することを特徴としている。
【００８６】
本発明の態様３に係る携帯端末３０は、ネットワークを介した通信を行う第１の通信装置（ネットワーク通信部３１）と、近距離無線通信を行う第２の通信装置（ＮＦＣ Ｉ／Ｆ部３２）と、電子メールを作成して前記第１の通信装置を制御して送信する電子メール手段（電子メール処理部３４）と、前記電子メールの送信先となる情報端末のアドレス情報を管理するアドレス情報管理手段（アドレス情報管理処理部３５）と、前記第２の通信装置を制御して、ペアリングが確立した画像読取通信機器（画像読取装置１０）より、サーバに保存されている画像をサーバ６０にアクセスして取得するのに必要なアクセス情報を受信するアクセス情報受信手段（アクセス情報受信処理部３６）と、前記電子メール手段を用いて、前記アクセス情報を添付した、前記サーバに画像が保存されていることを知らせる電子メールである連絡メールを作成する連絡メール作成手段（連絡メール作成処理部３９）と、前記アドレス情報管理手段を用いて、前記連絡メールの送信先となるアドレス情報を設定するアドレス情報設定手段（アドレス情報設定処理部３８）と、前記第１の通信装置を制御して、前記連絡メールを設定された前記アドレス情報の情報端末に送信する連絡メール送信手段（連絡メール送信処理部３９）とを有している。
【００８７】
本発明の態様４に係る画像の送信方法は、画像読取通信機器が、画像を読み取り、読み取った画像をネットワーク上のサーバに保存する一方、該サーバから該サーバにアクセスして保存されている前記画像を取得するのに必要なアクセス情報を受信し、情報端末が、前記アクセス情報を用いて前記サーバにアクセスして保存された前記画像を取得するサーバを介した画像の送信方法であって、前記画像読取通信機器は、画像の読み取り完了後、近距離無線通信を用いてペアリングが確立した前記携帯端末に前記アクセス情報を送信し、前記携帯端末は、近距離無線通信を用いてペアリングが確立した前記画像読取通信機器から前記アクセス情報を受信し、前記サーバに画像が保存されていることを知らせる電子メールを作成して、任意に設定されたアドレス情報の情報端末に、受信したアクセス情報を添付して送信する。
【００８８】
本発明の各態様に係る画像読取通信機器、携帯端末は、コンピュータによって実現してもよく、この場合には、コンピュータを上記画像読取通信機器、携帯端末が備える各手段として動作させることにより上記画像読取通信機器、携帯端末をコンピュータにて実現させるプログラム、およびそれを記録したコンピュータ読み取り可能な記録媒体も、本発明の範疇に入る。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１  画像送信システム
１０  画像読取装置（画像読取通信機器）
１１  スキャナ部
１２  ネットワーク通信部（第１の通信装置）
１３  ＮＦＣインターフェース部（第２の通信装置）
１４  制御部
１５  画像外部保存処理部（画像外部処理手段）
１６  アクセス情報送信処理部（アクセス情報送信手段）
１７  メッセージ処理部（メッセージ手段）
１８  表示部
１９  操作部
２１  処理部
２２  主記憶装置
２３  補助記憶装置
３０  携帯端末
３１  ネットワーク通信部（第１の通信装置）
３２  ＮＦＣインターフェース部(第２の通信装置)
３３  制御部
３４  電子メール処理部（電子メール手段）
３５  アドレス情報管理処理部（アドレス情報管理手段）
３６  アクセス情報受信処理部（アクセス情報受信手段）
３７  連絡メール作成処理部（連絡メール作成手段）
３８  アドレス情報設定処理部（アドレス情報設定手段）
３９  連絡メール送信処理部（連絡メール送信手段）
４０  表示部
４１  操作部
４２  主記憶装置
４３  補助記憶装置
４４  アクセス情報受信処理部
５０  ネットワーク
６０  サーバ
６１  表示部
６２  操作部
６３  処理部
６４  主記憶装置
６５  補助記憶装置
６６  ネットワーク通信部
７１  メールサーバ
７２  情報端末
【図１】
2015005922.tif 000003
【図２】
2015005922.tif 000004
【図３】
2015005922.tif 000005
【図４】
2015005922.tif 000006
【図５】
2015005922.tif 000007
【図６】
2015005922.tif 000008
【図７】
2015005922.tif 000009
【図８Ａ】
2015005922.tif 000010
【図８Ｂ】
2015005922.tif 000011
【図８Ｃ】
2015005922.tif 000012
【図８Ｄ】
2015005922.tif 000013